(57)【要約】【課題】    売り上げ個数の管理を目視で行えるようにし、自動販売機コラム枠内の商品在庫調整を容易にできるようにする。【解決手段】    商品売れ行き個数は、リモコン管理だったものが、コラム調整部品１３を商品上端１２にコラム枠調整部品上端５を合わせて設置により、メンテナンス時には商品上端１２だけが売れ行き個数だけ下がって行くので、目視にて売れ行き個数の把握ができ、売れ行きに合わせコラム枠調整部品１３は、商品転倒防止金具７取り付け時には、商品転倒防止金具ストッパー上端８よりコラム枠天板１１まで、コラム枠側板の前面９取り付け時には、コラム枠底板１０よりコラム枠天板１１まで上下移動により管理する者が、商品の売れ行きに対しての目安調整をとることが簡単にでき賞味期限切れを抑制できることを特徴とする。【選択図】    図４
2006318445.tif 000002
【特許請求の範囲】
【請求項１】
売れ行き個数を目視にて管理し、コラム枠に収納される商品の売れ行きにより、収納数を制限し、賞味期限切れを抑制するコラム枠調整部品であり、弾性部材の弾性力により落下の防止をはかり、上下移動を行うことができることを特徴とするコラム枠調整部品。
【請求項２】
前記弾性部材は前記コラム枠調整部品を自動販売機のコラム枠に設置したときに、鉛直面となる商品転倒防止金具及び側板の前面に兼用で取り付けられることを特徴とする請求項１記載のコラム枠調整部品。
【請求項３】
前記弾性部材は、表裏のデザイン及び色が異なり、設置面を若干楕円状に加工されることを特徴とする請求項２記載のコラム枠調整部品。
【発明の詳細な説明】
【技術分野】
【０００１】
本発明は、自動販売機内の商品収納スペースに関するものである。
【背景技術】
【０００２】
従来、この種のものは、収納スペースに決められた個数枠が設けてあり、
商品の売り上げ個数は、リモコン操作にての管理である。
【０００３】
収納スペースの個数枠は、それぞれ何組かに分けて設けてあるが、収納
スペースを最大限に活用する訳ではない。
【０００４】
【特許文献１】特開２００１−１９５６５０
【発明の開示】
【発明が解決しようとする課題】
【０００５】
上述の如く、リモコン操作の管理は、操作が不得手な人にとって商品の売り上げ個数を把握するのは難しい。
【０００６】
例えばたばこは、種類が多い為、銘柄によっては、賞味期限切れの管理が難しく、メーカーでは返品によるリスクを被っている。在庫の抑制のため、テープ及びマーカーなどでしるしをしているが、テープが剥がれたり、しるしを移動するのが容易ではないという課題があった。
【０００７】
本発明は、このような点に鑑みて成されたものであり、その目的は、売り上げ個数の管理を、目視で行えるようにし、在庫調整を容易にし、且つ、賞味期限切れを抑制することにある。
【課題を解決するための手段】
【０００８】
上述の目的を達成する本発明のコラム枠調整部品は、一例として、たばこの売れ行き個数を目視にて管理でき、自動販売機のコラム枠を制限するコラム枠調整部品であって、弾性部材の弾性力により、落下を防止し上下移動を行うことができることを特徴とする。
【０００９】
一例として、弾性部材は、前記コラム枠調整部品を自動販売機のコラム枠に設置したときに、鉛直面となる、商品転倒防止金具及びコラム枠側板の前面に兼用で取り付けられる。好適には、前記弾性部材は、表裏デザイン及び色が異なり、設置面が若干楕円状に加工されている。
【発明の効果】
【００１０】
以上説明したように本発明によれば、コラム枠調整部品は、商品転倒防止金具及びコラム枠側板の前面にどちらか一方に取り付けることにより、売り上げ個数を目視にて行えると共に、上下移動により、商品によっての枠制限を調整することができるので、賞味期限切れの抑制、且つ、メーカーが販売店に対しての、商品宣伝に極めて有効であるし、兼用部品として確立することで取り付けられる販売機の幅が格段に広がる。
【発明を実施するための最良の形態】
【００１１】
以下、本発明の実施の形態を図面に基づき詳細に説明する。
【００１２】
図１〜図４は、本発明の第一の実施の形態に係り、図１は、コラム枠調整部品の形状を表す全体図、図２、図３はコラム枠調整部品の設置面を表す断面図、図４は、コラム枠調整部品の機能を表す自動販売機コラム枠の要部斜視図である。
【００１３】
図において、コラム枠調整部品１３は、表裏を区別するデザイン１を有する弾性部材の中央に、商品転倒防止金具７及びコラム枠側板の前面９の挿し込み口３を設け商品転倒防止金具７との設置面を楕円加工２したものである。
【００１４】
自動販売機コラム枠６は、自動販売機の内部にある、商品を種類別に分けての収納スペースとして使用されている。コラムの収納数はそれぞれの枠組みが設定されている。
【００１５】
例えばたばこにおいては、一定の売れ行きを示すとは言えない。数百もの種類があり、販売地域及び条件によって売れ行きに違いがあり、コラム枠調整部品１３は、商品転倒防止金具７取り付け時には、商品転倒防止金具ストッパー上端８よりコラム枠天板１１まで上下移動可能で、コラム枠側板の前面９取り付け時には、コラム枠底板１０よりコラム枠天板１１まで上下移動できるので、管理する者が、商品の売れ行きに対しての目安調整をとることが簡単にできる。
【００１６】
図４において、商品売れ行き個数は、リモコン管理だったものが、コラム調整部品１３を箱型商品上端１２にコラム枠調整部品上端５を合わせて設置により、メンテナンス時に箱型商品上端１２だけが売れ行き個数だけ下がって行くので、目視にて売れ行き個数の把握ができる。
【実施例】
【００１７】
コラム枠調整部品は、Ｗ１５mm×Ｈ２０mm×Ｄ８mmの寸法を有す
る直方体形状をしており、コラム枠に好適なサイズとして標準化する。このことにより、商品単体の収納高とほぼ同じになり調整目安が容易になる。コラム枠調整部品の取り付けは本体の側面より、脱着ができ、後付を可能にした。
【００１８】
以上、本発明の実施の形態及び実施例を説明したが、本発明の範囲はこれに限定されるものではない。例えば、コラム枠調整部品の素材、大きさ、形、落下防止方法及び取り付け方などは、状況に応じて適宜選択されるものである。
【００１９】
またコラム枠調整部品の外部は商品名及びデザインだけに限らず、日付を表記することなども可能である。
【産業上の利用可能性】
【００２０】
本発明は自動販売機を製造、販売する産業分野で利用することができる。
【図面の簡単な説明】
【００２１】
【図１】本発明の第一の実施の形態に係るコラム枠調整部品の全体図
【図２】図１のコラム枠調整部品断面図
【図３】図１のコラム枠調整部品断面図
【図４】コラム枠調整部品の機能を表す自動販売機コラム全体図
【符号の説明】
【００２２】
１    コラム枠調整部品デザイン
２    楕円加工
３    商品転倒防止金具及びコラム枠側板挿し込み口
４    コラム枠調整部品支持部
５    コラム枠調整部品上端
６    自動販売機コラム枠
７    商品転倒防止金具
８    商品転倒防止金具ストッパー
９    コラム枠側板
１０  コラム枠底板
１１  コラム枠天板
１２  箱型商品上端
１３  コラム枠調整部品
【図１】
2006318445.tif 000003
【図２】
2006318445.tif 000004
【図３】
2006318445.tif 000005
【図４】
2006318445.tif 000006